(57)【要約】【課題】  靴や服に傷を付けたり足に痛みを感じさせたりといったことから着座者を保護する。歩留まりを向上させる。さらには見栄えも向上させる。【解決手段】  椅子の脚部２のうち着座者の足が直接接触しもしくは靴や衣服が接触する可能性のある部位あるいはこの脚部２に設けられるフットレストなどの付属部材３に対し、これら脚部２あるいは付属部材３の成形加工時に生じたパーティングライン、このパーティングラインに起因するバリ等の突起、あるいは成形加工時に形づくられたエッジや尖端形状の突部を覆い隠すように脚部用保護具４を取り付ける。【選択図】        図６
2005111167.tif 000002
【特許請求の範囲】
【請求項１】
椅子の脚部のうち着座者の足が直接接触しもしくは靴や衣服が接触する可能性のある部位あるいはこの脚部に設けられるフットレストなどの付属部材に対し、これら脚部あるいは付属部材の成形加工時に生じたパーティングライン、このパーティングラインに起因するバリ等の突起、あるいは成形加工時に形づくられたエッジや尖端形状の突部を覆い隠すように取り付けられることを特徴とする椅子の脚部用保護具。
【請求項２】
表面が滑らかな曲面で形成されていることを特徴とする請求項１記載の椅子の脚部用保護具。
【請求項３】
柔軟性のある材質で形成されていることを特徴とする請求項１または２記載の椅子の脚部用保護具。
【請求項４】
外部から視認可能な締結具によって前記脚部または前記付属部材に着脱可能に取り付けられていることを特徴とする請求項１から３のいずれかに記載の椅子の脚部用保護具。
【発明の詳細な説明】
【技術分野】
【０００１】
本発明は椅子の脚部用保護具に関する。さらに詳述すると、本発明は、椅子における脚部の構造の改良に関する。
【背景技術】
【０００２】
事務用、作業用をはじめとする各種椅子１０１の脚部１０２としては、合成樹脂製のもの（例えば特許文献１参照）、アルミ製のものなどが採用されている（図１６参照）。椅子１０１の脚部１０２を例えばアルミダイキャスト製や樹脂製とする場合、軽量化とコスト低減のため肉ぬすみして不要部分を取り除く加工ないしは設計が行われる場合があり、こうすることにより必要な強度を確保しつつ軽量化することが図られている（図１７〜図２０参照）。
【０００３】
【特許文献１】特開平７−１３６０３５号公報
【発明の開示】
【発明が解決しようとする課題】
【０００４】
しかしながら、脚部１０２あるいはその構成物品を型成形するに際し、成形品にパーティングライン（ＰＬ）による段差が生じたり、パーティングラインに起因するバリ等の突起１０３が生じたりすることがあるという問題がある（図１９、図２０参照）。このような段差や突起１０３は、着座者の靴に傷を付けたり、パンツの裾を引っ掛けたり、裾や靴下を解（ほつ）れさせたりといった不具合を生じさせるおそれがある。また、衣服等の上からでもこのような突起１０３に当たれば通常以上の痛さを感じるし、裸足で座った場合の着座者の素足に引っ掛かりを感じさせたり、アキレス腱に痛みを感じさせたりする場合もある。あるいは、椅子１０１を持ち運ぶ際、このような突起１０３を握ったり触れたりした者に傷を負わせる可能性もある。しかもこれらのことは、突起１０３が生じている場合に限らず、設計に起因した細く尖った部分やエッジ状となった部品等がある場合にも十分に起こり得る。例えば図１９において符号Ｃで示す幅が狭小である場合、端部が鋭利になる結果、突起物と同じような状態さらには鋭利な刃物と同じような状態になりうるが、その反面、無垢で成形するとひけ（成形収縮率の差に起因して厚肉部などにおいて凹み等が生じる現象）が生じるおそれがあるので、このような現象を抑えるため、また材料費も抑えるためにはできるだけ薄くしたいという設計上の実情もある。
【０００５】
また、以上のようなパーティングラインやそれに起因する突起１０３は、例えば脚部１０２が樹脂製であれば成形後にカッターやシャビーフ（面取りカッター）によって取り除くという処理を行うことも可能ではあるが、成形品ごと個別に後処理することになればその分だけ手間とコストがかかってしまう。加えて、処理に失敗すれば不良品が生じてしまうという問題もある。
【０００６】
さらに、樹脂製あるいはアルミ製の脚部１０２であって図１９に示したものよりも内側に突起１０３が生じている場合（図２０参照）、上述した内容と同様の問題があることに加え、突起１０３の処理が蛇行するなどして見苦しい外観になるという問題もある。すなわち、成形品から突起１０３を取り除く後処理を行う際、取り除く量が一定とならずにむらが生じるとあたかも日本刀の刃のような波が生じ、この結果、処理した箇所が蛇行しているように見えてしまう場合がある。また、このような処理は手作業で行われる場合も多く、その場合には熟練を要するため技量差が生じる可能性もある。
【０００７】
加えて、上述のようなバリのような突起１０３に限らず、成形時あるいはその後の使用時に生じた「かじり」（摺動面に付いた引っかき傷のようなもの）、「ぐいち」（互い違い、ちぐはぐになっているもの）といったような純粋な突起物ではないがこれに準じた突起状のものや表面傷のようなものまでもが上述したように靴に傷を付けたり、裾を引っ掛けたりといった不具合を引き起こすおそれもある。また、このような場合は不良品扱いとなってしまうために不良率が上がり、歩留まりが下がってしまうことになる。
【０００８】
ところが、上述したような突起１０３あるいはこれに準じた突起状物や表面傷などは以上のような不具合があるにもかかわらず、座部の下側に隠れがちな脚部１０２のさらに細部に関する問題であり、周囲の者の目にも止まりづらい部分であるといった理由から軽視されており、一つひとつを取り除くような丁寧な後処理は行われていないものもあるし、図１９に示したように結果的に鋭利になってしまう場合もあるというのが現状である。
【０００９】
その一方で、例えば座部と脚部１０２が分解可能な構造となっている椅子１０１の場合、椅子１０１の移動や廃棄処分などの際にこれらのような不具合がユーザや作業者などの目に止まる可能性もある。このようなとき、座部の下側に隠れがちな細部の不具合だからといって十分に後処理していないのではユーザ等に対して好ましくない印象を与えかねない。また、ユーザが通常の椅子１０１として使用している時であってもこのような脚部１０２の不具合が目に付く可能性はあり、このような場合には椅子１０１の細部の見栄えが悪いということになりかねない。
【００１０】
そこで、本発明は、靴や服に傷を付けたり足に痛みを感じさせたりといったことから着座者を保護できるようにするとともに歩留まりを向上させ、さらには見栄えも向上させるようにした椅子の脚部用保護具を提供することを目的とする。
【課題を解決するための手段】
【００１１】
かかる目的を達成するため、請求項１記載の発明である椅子の脚部用保護具は、椅子の脚部のうち着座者の足が直接接触しもしくは靴や衣服が接触する可能性のある部位あるいはこの脚部に設けられるフットレストなどの付属部材に対し、これら脚部あるいは付属部材の成形加工時に生じたパーティングライン、このパーティングラインに起因するバリ等の突起、あるいは成形加工時に形づくられたエッジや尖端形状の突部を覆い隠すように取り付けられるというものである。
【００１２】
請求項２記載の発明は、請求項１記載の椅子の脚部用保護具の表面が滑らかな曲面で形成されていることを特徴とするものである。
【００１３】
請求項３記載の発明は、請求項１または２記載の椅子の脚部用保護具が柔軟性のある材質で形成されていることを特徴とするものである。
【００１４】
請求項４記載の発明は、請求項１から３のいずれかに記載の椅子の脚部用保護具が、外部から視認可能な締結具によって脚部または付属部材に着脱可能に取り付けられていることを特徴とするものである。
【発明の効果】
【００１５】
請求項１記載の発明によると、椅子の脚部用保護具により、着座者の足が直接接触しあるいは靴、衣服等が接触する可能性のある各種形状の突起や突部を覆うことができる。すなわち、従来はこのような脚部における突起や突部は特に覆われる等の処理がなされていなかったのに対し、本発明では、これら成形時に生じるパーティングラインなどに起因する突起さらには設計どおりの突部であって着座者に不具合を起こすおそれのあるものを予め積極的に覆い隠すことにより、足、靴等と突起や突部とが直接接触しないようにしてそのような不具合が生じるのを未然に防止する。したがってこのような処理が施された椅子によれば、着座者の靴に傷が付いたり、パンツの裾が引っ掛かったり、裾や靴下が解（ほつ）れたりといった不具合を生じることがない。また、足や爪先などが突起や突部に勢いよく当たったとしてもその際の痛さを和らげ、ダメージを少なくすることができる。これは、上述のようなバリのような突起の場合に限らず、成形時あるいはその後の使用時に生じたかじり、ぐいちといった突起状のものや表面傷のようなものである場合であっても、椅子の製品時あるいは使用途中に保護具が取り付けられることによって足や靴等を保護することが可能となる。さらに、このような保護具は図１９において符号Ｃで示したような幅が狭小で端部が鋭利になっている部分にも対応し、このような鋭利な部分を同様に覆い隠すことができる。また、ユーザ等がこれら不具合の生じている部分を直接触ったり握ったりした場合に痛いと感じたり傷を負ったりすることからも保護することができる。
【００１６】
しかも、本発明にかかる脚部用保護具によれば、椅子の脚部を成形する際、パーティングラインやこのパーティングラインに起因するバリ等をそのままにしておいて（つまり後処理しなくて）済むことになるため、その分だけ作業の手間を省くことが可能となる。さらに、かじり等を隠せるため不良品の削減にもなる。また、無垢のようにしたくても、材料費、特に「ひけ」を考慮すると肉ぬすみせざるを得ないような状況下における対策ともなる。これらにより、生産の効率化、さらにはコストダウンを図ることができる。また、不良品扱いとなる椅子が減る結果、不良率が下がって歩留まりが向上する。
【００１７】
加えて、このような保護具はパーティングラインなどを覆うことによって椅子の使用時や移動時に目に付くことのある見栄えの悪い部分を見えないようにする。こうすることにより、椅子の安全性のみならず脚部ひいては椅子全体の外観ないしはデザインまでもが向上することになる。
【００１８】
請求項２記載の椅子の脚部用保護具によると、表面が滑らかな曲面で形成されていることから足や靴等に傷をつけるようなおそれが全くないことに加え、これら足や靴等がこの保護具の表面に接触した際の滑りがなめらかとなるし、裾が引っ掛かったりするようなことも皆無である。また、脚部の断面形状が例えばコ字形であるような場合、剛性を有する脚部用保護具を取り付けることによって断面形状がロ字形となるようにし、全体としての強度を向上させることができる。
【００１９】
また請求項３記載の椅子の脚部用保護具によると、柔軟性のある材質で形成されていることから、この保護具に対し例えば足が不意に勢いよく当たったとしても衝撃が吸収、緩和され足を痛めるようなことがない。
【００２０】
請求項４記載の椅子の脚部用保護具は、例えばボルトとナット、あるいはねじといったような締結具であって外部から視認可能なものにより脚部あるいは付属部材に着脱可能にり付けられている。このような脚部用保護具は、これら締結具によって着脱可能でありしかもその着脱動作も容易である場合が多く、必要な工具さえあれば例えば椅子を廃棄処分する際にも簡単に取り外して分解することが可能となる。こうした背景から、これら締結具が視認可能であることにより、ユーザや取引者に対して当該椅子が脚部用保護具の分別が容易ないわゆるエコロジーな製品であるとの印象を与えることができる。
【発明を実施するための最良の形態】
【００２１】
以下、本発明の構成を図面に示す実施の形態に基づいて詳細に説明する。
【００２２】
図１〜図１５に本発明の一実施形態を示す。本発明の椅子１の脚部用保護具４は、椅子１の脚部２のうち着座者の足が直接接触しもしくは靴や衣服が接触する可能性のある部位あるいはこの脚部２に設けられるフットレストなどの付属部材３にこれら脚部２あるいは付属部材３の成形加工時に生じたパーティングライン、このパーティングラインに起因するバリ等の突起５、あるいは成形加工時に形づくられたエッジや尖端形状の突部６を覆い隠すというものである。
【００２３】
まず、図１〜図４を用いて本発明の第１の実施形態について説明する。本実施形態では、椅子１の脚部２における突起５あるいは突部６に対し、これら突起５や突部６を覆い隠すための保護具４を脚部２の裏側から取り付けるようにしている（図１〜図４参照）。なお、ここでいう突起５とは、脚部２（あるいは付属部材３）の成形加工時に生じたパーティングライン自体またはこのパーティングラインに起因するバリ等からなる突状物を指し、突部６とは成形加工時に薄肉に形づくられることによって生じた細い部分や尖った部品等の当該突状部分を指している。例えば本実施形態で対象としている椅子１の脚部２は、肉ぬすみされているためその両側が薄いエッジ状の突部６となる場合があり、尚かつ成形時においてこの突部６にバリ等の突起５が生じている可能性のあるものである。
【００２４】
脚部用保護具４は、脚部２に形成されている突部６の形状に合わせて形成されたカバーであり、例えば本実施形態では、脚部２の裏側の突部６に沿って形成され、このような保護具４で突部６を覆い隠すことにより、突部６に形成されている可能性のある突起５をも同時に覆い隠せるようにしている（図２参照）。なお、このような保護具４は場合によっては脚部２の突部６のうち片側にのみ、あるいは必要に応じて両側に設ければよいことはいうまでもない。またこのように両側に設ける場合には保護具４を１本の紐状あるいは帯状とし、両側の突部６を連続的に覆い隠すようにすれば部材の点数が少なく、かつ無駄も少なくなるという点で好ましい。例えば椅子１の脚部２が星形に配置された５本の脚２ａからなる場合、このように紐状（あるいは帯状）とした保護具４によれば突部６（および突部６に生じている突起５）を１本の脚２ａに対し１本の保護具４で覆い隠すことができる。本実施形態では、車輪（図５等において符号２１で示している）の取付部２ｂの周囲を経由して両側の突部６を１本の保護具４で覆い隠すようにしている（図１参照）。
【００２５】
この脚部用保護具４はある程度硬い材質たとえば樹脂成形品などで形成されていても構わないが、着座者が裸足で座ったときにその素足が直接触れるような部位、あるいは裸足でなくても靴下や衣服あるいは靴などの履物が頻繁に触れるような部位に設置される場合であれば容易に変形しうる柔軟性のある材質で形成されていることが好ましい。こうした場合、この保護具４に足が不意に勢いよく当たったとしても衝撃が緩和される結果足を痛めるようなこともないし、革靴等の履物やスラックス等の衣服に傷を付けるようなこともない。また、柔軟性があれば突部６の縁形状に沿ってこの脚部用保護具４を取り付けやすくなるという利点もある。このような柔軟性のある材質としてはＰＵＦ（ポリウレタンフォーム）やゴムが好ましい。
【００２６】
また、本実施形態ではこのように形成された紐状（あるいは帯状）の脚部用保護具４を突部６に対し接着剤を用いて取り付けることとしている（図２参照）。こうした場合には、脚部用保護具４の端から順に突部６に沿って接着していくことができ、突部６の形状にかかわらず柔軟にかつ弛みが生じることなくこの脚部用保護具４を取り付けることができる。接着剤には、脚部２と脚部用保護具４との間に塗布されるものの他、脚部２あるいは脚部用保護具４に予め設けられているシール状のものが含まれる。
【００２７】
なお、ここまでは柔軟性のある脚部用保護具４を接着剤を用いて取り付けるようにした例を示したが（図１、図２）、保護具４の形状や材質あるいは取付のための手段はこのようなものに限られることはなく、他の例を示せば例えば図３あるいは図４のように脚部２に裏側からねじ止めすることにより脚部用保護具４を脚部２に取り付けるようにしてもよい。また、このように外部から視認可能なねじ７等の締結具を用いた場合には、ねじ７を緩めることによって脚部用保護具４を脚部２から完全に取り外すことができることから、ユーザ等に対して廃棄処分等する場合に分解と分別が容易な自然に優しいエコロジーな椅子１であるとの印象を与えることができる。このように、脚部２の表側からあるいは裏側から視認可能な締結具という点からすれば、ねじ７以外にも例えばボルト・ナットの組合せ等を用いることができる。
【００２８】
このようにねじ７等を締結具として用いる場合にあっては、脚部用保護具４を例えば樹脂製とするなど、ねじ止めに適した強度を備えたものとすることが望ましい。また、脚部２と脚部用保護具４のそれぞれ対応する位置にはねじ止め用の透孔やめねじを成形するようにすれば取付作業の効率化等の観点で望ましい。この場合、脚部用保護具４は脚部２の中央のリブ２ｃを境に左右に分割した構造としてもよいし（図３参照）、中央のリブ２ｃを超えるようにして左右が一体化した構造としてもよい（図４参照）。図３に示す左右分割型の脚部用保護具４の場合には、分割された保護具４のそれぞれを固定するためにねじ７、めねじ２２、透孔２３を左右それぞれに設ける必要がある。一方、図４に示す左右一体型の脚部用保護具４の場合には、分割型と同様に左右それぞれをねじ止めすることによって脚部２に取り付けることもできるが、図４に示すように中央部分をリブ２ｃにねじ止めすることによって脚部２に取り付けるようにしてもよい。また、軽量化および材料節約のためには必要な限度において脚部用保護具４自体の肉ぬすみをすることが好ましい（図４参照）。なお、図４に示したような左右一体型の脚部用保護具４は分割型に比べると成形が難しくなるが単一の部材によって脚部２の底面全体を覆うことができるという利点がある。また、図３あるいは図４に示した脚部２は下側が開口したいわば断面形状がコ字形のような形状となっているが、このような脚部２に対し、剛性を有する脚部用保護具４を下側から取り付けるようにすれば断面形状をロ字形あるいはこれに近似した形状とし、全体として強度を向上させることができる（図３、図４参照）。
【００２９】
また、図２〜図４に示した脚部用保護具４はいずれもその側部４ａが脚部２の突部６（および突部６に生じている突起５）を覆うように設けられている。特に、図３と図４に示したようにねじ止めによって脚部２に固定される脚部用保護具４は、所定の箇所でねじ止めされた場合にその側部４ａが突部６等を自然に覆い隠す形状となるように設けられていることが望ましい。
【００３０】
また、ここまで説明した本実施形態の脚部用保護具４に関し、着色したり、別部品を付け加えたりすることでアクセントを加え、椅子１、特に脚部２の外観をより見栄えのあるものとすることも好ましい。例えば、上述した脚部用保護具４を着色しあるいは有色の材質を利用したような場合、この脚部用保護具４を取り付けると同時に脚部２の各脚２ａを縁取りすることができる。また、脚部用保護具４を椅子１の座部（図５参照。符号８で示している）の一部や全部と同色とすれば椅子１のデザインの統一感が増すし、色を変えることによってデザインのバリエーションを増やすこともできる。また、樹脂やアルミ材で脚部２を設計する場合においては多くの場合肉ぬすみが行われるが、その場合でも無垢のように見せかけることができるというようにデザイン上のさらなる利点もある。
【００３１】
続いて、図５〜図９を用いて本発明の第２の実施形態を説明する。この第２の実施形態では、図５に示すように脚部２の上部に足を載せることのできる付属部材（以下、「ステップ」という）３が設けられた椅子１に関し、このステップ３に突起５や突部６を覆い隠すための脚部用保護具４を設けるようにしている。この椅子１は図５に示しているとおり背凭れがなく、他の業務用等の椅子と比較して座部８がやや高い位置で使用される例えば歯科医用等に適したもので、着座時、ステップ３あるいは脚部２が足載せ台として使用されるというものである。このように着座位置がやや高い椅子１は、着座者が乗り降りする際（つまり座部８に腰を掛けたり立ったりする際）あるいは使用している際、靴などの履物、場合によってはアキレス腱など足の一部をぶつけることによってダメージを与えてしまうことがあるものである。なお、この椅子１は座部８を支える支持脚１１中にガススプリング１２を備えており（図６参照）、レバー１３を引き上げることによってこのガススプリング１２のバルブを開き座部８の高さ調節を行うことが可能となっている。
【００３２】
ステップ３には既製の環状パイプが使用される場合がある。本実施形態ではこのような既製品（成形品）の環状パイプが脚部２の５本の脚２ａのそれぞれに垂直に立てられた支持棒９を介して取り付けられ、ステップ３として利用されている（図５、図６参照）。５本の支持棒９は、脚部２の各脚２ａに対しボルト１０により取り付けられている。また、ステップ３は各支持棒９の上端に例えば溶接されるなどして取り付けられている。ステップ３としてこのような既製の環状パイプを使用した場合、その表面には、本実施形態では特に図示していないが、成形加工時におけるパーティングラインやこのパーティングラインに起因するバリ等の突起５が生じていることがあるが、これに対し、本実施形態では、保護具４として、ステップ３の上から覆い被せる環状のカバー（以下、この第２の実施形態において「保護カバー」という）４を用いることとしている。この保護カバー４は、着座者の足や靴が載せられる上面が外側に向かって徐々に下がるように傾斜した滑らかな曲面で形成され、素足であっても心地よく載せることができるようになっている（図６、図７等参照）。また、この保護カバー４の底面側には、例えば衝立４ｂが設けられるなどにより少なくともステップ３の上側半分が入り込む程度の深さの溝が形成されており、この保護カバー４を被すだけでバリ等の突起５ごとステップ３を覆い隠すことができるようになっている（図７参照）。また、図７のように保護カバー４を着脱可能な状態で被せるばかりでなく、ステップ３と保護カバー４との間に接着剤１４を塗布して両者を接着するようにしてもよい（図８参照）。あるいは保護カバー４との間でステップ３を挟み込むホルダ１５をステップ３の下側にあてがい、ねじ１６でこのホルダ１５をステップ３に（あるいは保護カバー４に）取り付けるようにしてもよい（図９参照）。こうすることによりこのホルダ１５と保護カバー４とがステップ３を挟み込んだ状態となり、保護カバー４がステップ３に一体化された状態となる。ホルダ１５は円周上に均等間隔でバランスよく配置されていることが好ましい（図５、図６参照）。なお、このようなホルダ１５やねじ１６は外部から視認可能な着脱可能な締結具として機能するものであり、ねじ１６とホルダ１５を外せば保護具４を簡単に取り外せるようになることから、ユーザ等に対し、廃棄処分等する場合に分解と分別が容易な自然に優しいエコロジーな椅子１であるとの印象を与えることができる。
【００３３】
さらに、図１０〜図１５を用いて本発明の第３の実施形態を説明する。この第３の実施形態では、図１０に示すように、脚部２の下部を構成するとともに脚部２の中心部および５本の各脚２ａを覆って足載せ台として機能する付属部材（以下、この第３の実施形態において「脚カバー」という）３に対し保護具４を取り付けるようにしている。すなわち、脚カバー３のうち、隣り合う脚２ａどうしの間に位置する部位は、肉ぬすみ等の加工の際にパーティングラインやこれに起因するバリ等の突起５が生じ、あるいは薄肉とされて縁がエッジ状の突部６となっている場合があるので（図１０、図１１参照）、本実施形態ではこれら突起５や突部６を覆い隠す保護具４を設けることとしている（図１２〜図１４参照）。
【００３４】
なお、本実施形態の椅子１は支持脚１１内にガススプリング１２を内蔵するとともに、このガススプリング１２のバルブ１２ａを開閉するための調節リング２０を支持脚１１の下端に有しているものである（図１０参照）。ユーザは、この調節リング２０を足で踏んで傾かせれば座部８の高さ調節を行うことができ、着座姿勢のまま座部８を下げることも可能となっている。ただし、このような椅子１の場合には調節リング２０を踏む場面でユーザの靴や衣服あるいはアキレス腱が脚カバー３の突起５等に触れて傷を負ったり痛みを感じたりしてしまうおそれもある。
【００３５】
保護具４はこのような突起５等を覆い隠すために設けられるもので、本実施形態では樹脂製であり、脚カバー３に生じた空洞部の大きさと形状に合わせて形成されている（図１２参照）。この場合、図１２に示すように保護具４自体にも必要な部分を残しつつ空間を設けるようにすれば軽量化と材料節約が図れて好ましい。このような保護具４は、上述した実施形態と同様、接着剤を用いて脚カバー３に取り付けてもよいし、ねじ止めして取り付けてもよい（図１３、図１４参照）。ねじ止めする際には、ねじ１７を脚カバー３のめねじ１８に直接ねじ込む構成としてもよいし（図１４参照）、あるいは脚カバー３自体にめねじ１８を設けない場合であれば、保護具４の内部空間内に鉄製などのプレート１９を設け、このプレート１９と脚カバー３とで保護具４の一部を挟み込むようにねじ止めすればねじ１６や保護具４の脱落を防止できる（図１３参照）。なお、締結具として機能するねじ１６，１７等は、外部から視認可能であれば廃棄処分等する場合に保護具４等の分解と分別が容易な自然に優しいエコロジーな椅子１であるとの印象を与えることができる。また、本実施形態で説明した保護具４も、着色したり別部品を付け加えたりすることでアクセントが加わり、椅子１、特に脚部２の外観をより見栄えのあるものとする（一例として保護具４に単一色で着色した図１５参照）。
【００３６】
なお、上述の実施形態は本発明の好適な実施の一例ではあるがこれに限定されるものではなく本発明の要旨を逸脱しない範囲において種々変形実施可能である。例えば、上述した実施形態では車輪２１を備えた椅子１に本発明を適用した例について説明したが、これらは実際の場面に即した好適な実施例に過ぎず、車輪２１を備えていない椅子１にも適用できることはいうまでもない。
【図面の簡単な説明】
【００３７】
【図１】本発明の第１の実施形態を示す図で、椅子の脚部のうち本発明に係る脚部用保護具が取り付けられている脚を側面から示しているものである。
【図２】図１のＡ−Ａ線における端面図である。
【図３】図１のＡ−Ａ線における断面図であって、分割型とされた脚部用保護具をねじ止めにより取り付けるようにした形態について示しているものである。
【図４】図１のＡ−Ａ線における断面図であって、一体型とされた脚部用保護具をねじ止めにより取り付けるようにした形態について示しているものである。
【図５】本発明の第２の実施形態に係る椅子の全体図である。
【図６】図５に示した椅子の脚部の構造を示す半裁断面図である。
【図７】図６中の円部分の拡大図である。
【図８】図６中の円部分の拡大図であって、接着剤を用いて脚部用保護具をステップに取り付けるようにした形態について示しているものである。
【図９】図６中の円部分の拡大図であって、ホルダを用いて脚部用保護具をステップに取り付けるようにした形態について示しているものである。
【図１０】本発明の第３の実施形態に係る椅子の脚部を示す図である。
【図１１】図１０に示した椅子の脚部の底面図である。
【図１２】図１０中の円部分の拡大図である。
【図１３】図１０中の円部分の拡大図であって、プレートとねじを用いて脚部用保護具を脚カバーに取り付けるようにした形態について示しているものである。
【図１４】図１０中の円部分の拡大図であって、ねじを脚カバーに直接ねじ込むことによって脚部用保護具を脚カバーに取り付けるようにした形態について示しているものである。
【図１５】本発明に係る脚部用保護具に着色した場合の一例を示す図である。
【図１６】従来の椅子の全体を示す側面図である。
【図１７】従来の椅子の脚部の一部を示す側面図である。
【図１８】従来の椅子の脚部の一部を示す底面図である。
【図１９】図１７のＢ−Ｂ線における断面図とその部分拡大図である。
【図２０】図１７のＢ−Ｂ線における断面図とその部分拡大図であって図１９とは異なる形態である場合を示すものである。
【符号の説明】
【００３８】
１  椅子
２  脚部
３  フットレスト（付属部材）
４  保護具
５  突起
６  突部
７  ねじ（締結具）
１５  ホルダ（締結具）
１６  ねじ（締結具）
１７  ねじ（締結具）
【図１】
2005111167.tif 000003
【図２】
2005111167.tif 000004
【図３】
2005111167.tif 000005
【図４】
2005111167.tif 000006
【図５】
2005111167.tif 000007
【図６】
2005111167.tif 000008
【図７】
2005111167.tif 000009
【図８】
2005111167.tif 000010
【図９】
2005111167.tif 000011
【図１０】
2005111167.tif 000012
【図１１】
2005111167.tif 000013
【図１２】
2005111167.tif 000014
【図１３】
2005111167.tif 000015
【図１４】
2005111167.tif 000016
【図１５】
2005111167.tif 000017
【図１６】
2005111167.tif 000018
【図１７】
2005111167.tif 000019
【図１８】
2005111167.tif 000020
【図１９】
2005111167.tif 000021
【図２０】
2005111167.tif 000022